(57)【特許請求の範囲】
【請求項１】
壁の表側に設けられた保持部材によって形成される保持孔に上方から差し込まれて保持される下カバーと、
前記壁の表側において前記下カバーの上方に固定される水栓と、
前記水栓に接続され前記壁の表側において該水栓から下方に向けて延び、前記保持孔を挿通する供給配管とを備え、
前記下カバーは、前記供給配管を覆う状態で前記水栓に装着され、該水栓に装着されていない状態では前記保持孔に差し込まれて保持されながらの下降が可能となるカバー水栓の取付け構造であって、
前記水栓に装着された状態の前記下カバーは、該水栓と前記供給配管との接続部を覆い、前記水栓に装着されていない状態の前記下カバーは、前記接続部が露出する位置まで下降可能であることを特徴とするカバー水栓の取付け構造。
【請求項２】
前記水栓に装着された状態の前記下カバーと前記保持孔の周縁における該下カバーの表側に位置する表側縁との隙間を上方から覆う化粧部材を備えた請求項１に記載のカバー水栓の取付け構造。
【請求項３】
前記化粧部材は、
前記隙間を上方から覆う状態で前記保持部材上に載置される化粧部材本体と、
該化粧部材本体の下方に設けられ、前記保持孔の内側から前記表側縁を外側に付勢する付勢片とを備え、
前記付勢片には、前記表側縁の下面側に係止する係止部を有し、該係止部が表側縁の下面側に係止する状態で該係止部の上方の部分が前記表側縁の上方に位置するように構成された係止付勢片が含まれ、前記化粧部材本体の下面において前記係止付勢片の上方に位置する部分には、該化粧部材本体の下面に沿って該化粧部材本体の外縁側から前記隙間の上方にまで至る溝が設けられ、前記係止付勢片の上部は、該係止付勢片の前記係止部が前記表側縁に係止する状態にあるときに該係止付勢片の下部と共に前記隙間内に後退可能な状態で該溝内に位置するように構成されている請求項２に記載のカバー水栓の取付け構造。
【請求項４】
前記下カバーの下部に、該下カバーを前記保持孔に対して上方から差し込んだときに前記保持部材の上面に当接して該下カバーのさらなる下降を阻止すると共に該下カバーを起立させるための当接片が連設されている請求項１〜３の何れか一項に記載のカバー水栓の取付け構造。
【請求項５】
前記下カバーの下部に、該下カバーを前記保持孔に対して上方から差し込んだときに前記保持部材の上面に当接して該下カバーのさらなる下降を阻止すると共に該下カバーを起立させるための当接片が連設され、
前記下カバーからの前記当接片の破断除去を可能とするために、該当接片の基部に弱化部が設けられ、該当接片の破断除去によって形成される除去跡が前記隙間を覆う状態の前記化粧部材に隠れるように構成されている請求項２又は３に記載のカバー水栓の取付け構造。
【請求項６】
前記水栓に対して該水栓を上方から覆うように装着される上カバーを備え、該上カバーの左右の各側壁下部の内側には被係合部が設けられていると共に、前記下カバーの左右の各側壁上部の内側には前記被係合部に係合する係合部が連設され、
前記水栓に装着された前記上カバーから下方に離間した位置にある前記下カバーが前記保持部材に保持されつつ上昇して該上カバーに近接するのに伴い、前記被係合部に前記係合部が当接して該被係合部または係合部の何れか一方が他方を回避するように撓み、他方を乗り越えた後で弾性復帰することにより係合部が被係合部に係合した状態となり、かつ、
前記係合部が前記被係合部に係合した状態において前記下カバーの左右の各側壁上部が該下カバーの内側に撓むのに伴って、前記係合部が前記下カバーの内側に向かって移動し、前記被係合部に対する前記係合部の係合が解除されるように構成されている請求項１〜５の何れか一項に記載のカバー水栓の取付け構造。
【請求項７】
前記下カバーの左右の各側壁上部に欠落部を設けてある請求項６に記載のカバー水栓の取付け構造。
【請求項８】
前記上カバーの左右の各側壁下部の内側に、該上カバーの左右の各側壁下部の下方に突出し前記下カバーの係合部をガイドする係合ガイドが設けられ、該係合ガイドは、前記係合部が前記被係合部に係合した状態において前記下カバーの左右の各側壁の内側面から離間しているように構成されている請求項６または７に記載のカバー水栓の取付け構造。
【請求項９】
前記水栓に対して前記下カバーが覆わない該水栓の前部を下方から覆うように装着される前カバーを備え、前記上カバーの左右の各側壁下部の内側には前記被係合部と同一構造の第２の被係合部が設けられていると共に、前記前カバーの左右の各側壁上部の内側には前記係合部と同一構造であり前記第２の被係合部に係合する第２の係合部が連設されている請求項６〜８の何れか一項に記載のカバー水栓の取付け構造。
【請求項１０】
前記前カバーの左右の各側壁上部に欠落部を設けてある請求項９に記載のカバー水栓の取付け構造。
【請求項１１】
前記上カバーの左右の各側壁下部の内側に、該上カバーの左右の各側壁下部の下方に突出し前記前カバーの第２の係合部をガイドする第２の係合ガイドが設けられ、該第２の係合ガイドは、前記第２の係合部が前記第２の被係合部に係合した状態において前記前カバーの左右の各側壁の内側面から離間しているように構成されている請求項９または１０に記載のカバー水栓の取付け構造。
【請求項１２】
前記保持孔は、前記保持部材の後縁に形成され前記壁から離間した表側縁と前記壁とで形成されている請求項１に記載のカバー水栓の取付け構造。
【請求項１３】
前記保持部材は浴室内に設けられたカウンターである請求項１〜１２の何れか一項に記載のカバー水栓の取付け構造。
【請求項１４】
請求項１〜１３の何れか一項に記載のカバー水栓の取付け構造を用いるカバー水栓の取付け方法であって、
前記保持孔に前記下カバーを上方から差し込み、該下カバーの下部に連設した当接片を前記保持部材の上面に当接させて該下カバーを起立させる下カバー起立工程と、
前記水栓に連結された状態の連結ステーを、起立状態の該下カバーの上部に当接させつつ前記壁に固定し、これにより前記水栓を壁に固定する水栓固定工程と、
前記当接片を前記下カバーから破断除去し、該下カバーを前記保持部材に保持させながら下降させ、前記水栓に前記供給配管を接続する配管接続工程と、
前記水栓に対して該水栓を上方から覆うように上カバーを載置すると共に、前記下カバーを上昇させて前記上カバーに係合させ、これにより前記水栓に前記上カバー及び下カバーを装着した状態とするカバー装着工程とをこの順に行うカバー水栓の取付け方法。
【請求項１５】
前記カバー装着工程の後に、前記水栓に装着された状態の前記下カバーと前記保持孔の周縁における該下カバーの表側に位置する表側縁との隙間に化粧部材を上方から装着し、該隙間を該化粧部材によって覆う化粧部材装着工程を行う請求項１４に記載のカバー水栓の取付け方法。
【請求項１６】
前記カバー装着工程以降に、前記水栓に対して前記下カバーが覆わない該水栓の前部を下方から覆うように前カバーを装着する請求項１４または１５に記載のカバー水栓の取付け方法。
【発明の詳細な説明】
【技術分野】
【０００１】
この発明は、例えば、浴室等の壁の表側に設置される水栓をカバーで覆うようにしたカバー水栓の取付け構造及び取付け方法に関する。
【背景技術】
【０００２】
特許文献１には、偏心管を介して水栓を浴室の壁面に固定し、偏心管に供給配管を接続した後、水栓に対して下カバーを取り付けるカバー水栓が開示されている。
【先行技術文献】
【特許文献】
【０００３】
【特許文献１】特開２０１０−２４８７１３号公報
【発明の概要】
【発明が解決しようとする課題】
【０００４】
斯かるカバー水栓では、水栓とその下方にあるカウンターとの間にうまく下カバーが収まるようにするには、偏心管を介して水栓を壁面に固定する際の位置決めをある程度正確に行う必要があり、手間が掛かる。また、止水栓の操作部はカバーによって覆われず外部に露出するようにしてあり、美観性が問題になる懸念がある。
【０００５】
本発明は上述の事柄に留意してなされたもので、その目的は、施工性、メンテナンス性
及び美観性に優れたカバー水栓の取付け構造及び取付け方法を提供することにある。
【課題を解決するための手段】
【０００６】
上記目的を達成するために、本発明に係るカバー水栓の取付け構造は、壁の表側に設けられた保持部材によって形成される保持孔に上方から差し込まれて保持される下カバーと、前記壁の表側において前記下カバーの上方に固定される水栓と、前記水栓に接続され前記壁の表側において該水栓から下方に向けて延び、前記保持孔を挿通する供給配管とを備え、前記下カバーは、前記供給配管を覆う状態で前記水栓に装着され、該水栓に装着されていない状態では前記保持孔に差し込まれて保持されながらの下降が可能となるカバー水栓の取付け構造であって、
前記水栓に装着された状態の前記下カバーは、該水栓と前記供給配管との接続部を覆い、前記水栓に装着されていない状態の前記下カバーは、前記接続部が露出する位置まで下降可能であることを特徴としている（請求項１）。
【０００７】
【０００８】
上記カバー水栓の取付け構造において、前記水栓に装着された状態の前記下カバーと前記保持孔の周縁における該下カバーの表側に位置する表側縁との隙間を上方から覆う化粧部材を備えていてもよい（請求項２）。
【０００９】
上記カバー水栓の取付け構造において、前記化粧部材は、前記隙間を上方から覆う状態で前記保持部材上に載置される化粧部材本体と、該化粧部材本体の下方に設けられ、前記保持孔の内側から前記表側縁を外側に付勢する付勢片とを備え、前記付勢片には、前記表側縁の下面側に係止する係止部を有し、該係止部が表側縁の下面側に係止する状態で該係止部の上方の部分が前記表側縁の上方に位置するように構成された係止付勢片が含まれ、前記化粧部材本体の下面において前記係止付勢片の上方に位置する部分には、該化粧部材本体の下面に沿って該化粧部材本体の外縁側から前記隙間の上方にまで至る溝が設けられ、前記係止付勢片の上部は、該係止付勢片の前記係止部が前記表側縁に係止する状態にあるときに該係止付勢片の下部と共に前記隙間内に後退可能な状態で該溝内に位置するように構成されていてもよい（請求項３）。
【００１０】
上記カバー水栓の取付け構造において、前記下カバーの下部に、該下カバーを前記保持孔に対して上方から差し込んだときに前記保持部材の上面に当接して該下カバーのさらなる下降を阻止すると共に該下カバーを起立させるための当接片が連設されていてもよい（請求項４）。
【００１１】
上記カバー水栓の取付け構造において、前記下カバーの下部に、該下カバーを前記保持孔に対して上方から差し込んだときに前記保持部材の上面に当接して該下カバーのさらなる下降を阻止すると共に該下カバーを起立させるための当接片が連設され、前記下カバーからの前記当接片の破断除去を可能とするために、該当接片の基部に弱化部が設けられ、該当接片の破断除去によって形成される除去跡が前記隙間を覆う状態の前記化粧部材に隠れるように構成されていてもよい（請求項５）。
【００１２】
上記カバー水栓の取付け構造が、前記水栓に対して該水栓を上方から覆うように装着される上カバーを備え、該上カバーの左右の各側壁下部の内側には被係合部が設けられていると共に、前記下カバーの左右の各側壁上部の内側には前記被係合部に係合する係合部が連設され、前記水栓に装着された前記上カバーから下方に離間した位置にある前記下カバーが前記保持部材に保持されつつ上昇して該上カバーに近接するのに伴い、前記被係合部に前記係合部が当接して該被係合部または係合部の何れか一方が他方を回避するように撓み、他方を乗り越えた後で弾性復帰することにより係合部が被係合部に係合した状態となり、かつ、前記係合部が前記被係合部に係合した状態において前記下カバーの左右の各側壁上部が該下カバーの内側に撓むのに伴って、前記係合部が前記下カバーの内側に向かって移動し、前記被係合部に対する前記係合部の係合が解除されるように構成されていてもよい（請求項６）。
【００１３】
上記カバー水栓の取付け構造において、前記下カバーの左右の各側壁上部に欠落部を設けてあってもよい（請求項７）。
【００１４】
上記カバー水栓の取付け構造において、前記上カバーの左右の各側壁下部の内側に、該上カバーの左右の各側壁下部の下方に突出し前記下カバーの係合部をガイドする係合ガイドが設けられ、該係合ガイドは、前記係合部が前記被係合部に係合した状態において前記下カバーの左右の各側壁の内側面から離間しているように構成されていてもよい（請求項８）。
【００１５】
上記カバー水栓の取付け構造が、前記水栓に対して前記下カバーが覆わない該水栓の前部を下方から覆うように装着される前カバーを備え、前記上カバーの左右の各側壁下部の内側には前記被係合部と同一構造の第２の被係合部が設けられていると共に、前記前カバーの左右の各側壁上部の内側には前記係合部と同一構造であり前記第２の被係合部に係合する第２の係合部が連設されていてもよい（請求項９）。
【００１６】
上記カバー水栓の取付け構造において、前記前カバーの左右の各側壁上部に欠落部を設けてあってもよい（請求項１０）。
【００１７】
上記カバー水栓の取付け構造において、前記上カバーの左右の各側壁下部の内側に、該上カバーの左右の各側壁下部の下方に突出し前記前カバーの第２の係合部をガイドする第２の係合ガイドが設けられ、該第２の係合ガイドは、前記第２の係合部が前記第２の被係合部に係合した状態において前記前カバーの左右の各側壁の内側面から離間しているように構成されていてもよい（請求項１１）。
【００１８】
上記カバー水栓の取付け構造において、前記保持孔は、前記保持部材の後縁に形成され前記壁から離間した表側縁と前記壁とで形成されていてもよい（請求項１２）。
【００１９】
上記カバー水栓の取付け構造において、前記保持部材は浴室内に設けられたカウンターであってもよい（請求項１３）。
【００２０】
上記目的を達成するために、本発明に係るカバー水栓の取付け方法は、請求項１〜１３の何れか一項に記載のカバー水栓の取付け構造を用いるカバー水栓の取付け方法であって、前記保持孔に前記下カバーを上方から差し込み、該下カバーの下部に連設した当接片を前記保持部材の上面に当接させて該下カバーを起立させる下カバー起立工程と、前記水栓に連結された状態の連結ステーを、起立状態の該下カバーの上部に当接させつつ前記壁に固定し、これにより前記水栓を壁に固定する水栓固定工程と、前記当接片を前記下カバーから破断除去し、該下カバーを前記保持部材に保持させながら下降させ、前記水栓に前記供給配管を接続する配管接続工程と、前記水栓に対して該水栓を上方から覆うように上カバーを載置すると共に、前記下カバーを上昇させて前記上カバーに係合させ、これにより前記水栓に前記上カバー及び下カバーを装着した状態とするカバー装着工程とをこの順に行う（請求項１４）。
【００２１】
上記カバー水栓の取付け方法において、前記カバー装着工程の後に、前記水栓に装着された状態の前記下カバーと前記保持孔の周縁における該下カバーの表側に位置する表側縁との隙間に化粧部材を上方から装着し、該隙間を該化粧部材によって覆う化粧部材装着工程を行ってもよい（請求項１５）。
【００２２】
上記カバー水栓の取付け方法において、前記カバー装着工程以降に、前記水栓に対して前記下カバーが覆わない該水栓の前部を下方から覆うように前カバーを装着してもよい（請求項１６）。
【発明の効果】
【００２３】
本願の各請求項に係る発明では、施工性、メンテナンス性及び美観性に優れたカバー水栓の取付け構造及び取付け方法が得られる。
【００２４】
すなわち、本願の各請求項に係る発明のカバー水栓の取付け構造では、下カバーを可動式とし、水栓に装着するようにしたことにより、水栓を壁の表側に設置する際に厳密な位置合わせ等をする必要をなくすことができ、施工性に優れたものとなる。
【００２５】
また、上記カバー水栓の取付け構造では、供給配管を下カバーによって覆うようにすることにより、美観性の向上を達成することができる。
【００２６】
請求項１〜８に係る発明では下カバーを下降させることにより、また、請求項９〜１１に係る発明では前カバーを取り外すことにより、水栓の上流側に設けられる止水栓の操作部に対する操作を行えるようにすれば、メンテナンス性が良好となる。
【００２７】
請求項２，３に係る発明のカバー水栓の取付け構造では、化粧部材によって美観性の向上を達成することができ、特に請求項３に係る発明では、化粧部材を、下カバーと表側縁との隙間にしっかりと固定することができ、かつその隙間から容易に取り外すことができるので、実用性に優れたカバー水栓の取付け構造が得られる。
【００２８】
請求項４、５に係る発明のカバー水栓の取付け構造は、当接片を用いて起立させた下カバーを利用して水栓の適切な位置決めを正確かつ簡易に行えるので、施工性の点で優れたものとなり、特に請求項５に係る発明では、当接片の除去跡を化粧部材によって隠せるので、美観性が損なわれる恐れがない。
【００２９】
請求項６に係る発明のカバー水栓の取付け構造では、上カバーあるいは水栓に対する下カバーの装着と離脱との操作をともに簡便に行うことができる。
【００３０】
請求項７に係る発明のカバー水栓の取付け構造では、上カバーあるいは水栓からの下カバーの簡便な離脱操作をより確実に行うことが可能となる。
【００３１】
請求項８に係る発明のカバー水栓の取付け構造では、上カバーあるいは水栓に対する下カバーの装着と離脱との簡便な操作をより確実に行うことが可能となる。
【００３２】
請求項９に係る発明のカバー水栓の取付け構造では、上カバーあるいは水栓に対する前カバーの装着と離脱との操作をともに簡便に行うことができる。
【００３３】
請求項１０に係る発明のカバー水栓の取付け構造では、上カバーあるいは水栓からの前カバーの簡便な離脱操作をより確実に行うことが可能となる。
【００３４】
請求項１１に係る発明のカバー水栓の取付け構造では、上カバーあるいは水栓に対する前カバーの装着と離脱との簡便な操作をより確実に行うことが可能となる。
【００３５】
請求項１３に係る発明のカバー水栓の取付け構造では、カウンターを保持部材に兼用するので、それだけ部材点数が少なくて済み、設置スペースのコンパクト化も図ることができる。
【図面の簡単な説明】
【００３６】
【図１】本発明の第１の実施の形態に係るカバー水栓の取付け構造の構成を概略的に示す説明図である。
【図２】下カバーを下降させた状態の前記カバー水栓の取付け構造の構成を概略的に示す斜視図である。
【図３】前記カバー水栓の取付け構造の要部の構成を概略的に示す分解斜視図である。
【図４】（Ａ）及び（Ｂ）は、上カバー及び下カバーの係合構造の構成を概略的に示す説明図である。
【図５】前記カバー水栓の取付け構造の構成を概略的に示す斜視図である。
【図６】（Ａ）〜（Ｄ）は、化粧部材の構成を概略的に示す正面図、平面図、底面図及び側面図である。
【図７】前記カバー水栓の取付け構造の下部の構成を概略的に示す縦断面図である。
【図８】（Ａ）及び（Ｂ）は、本発明の第２の実施の形態に係るカバー水栓の取付け方法における下カバー起立工程を概略的に示す説明図である。
【図９】（Ａ）は、図８（Ｂ）に示す状態の下カバーの下部の構成を概略的に示す斜視図、（Ｂ）は、水栓固定工程の開始直後におけるカバー水栓の取付け構造の状態を概略的に示す斜視図である。
【図１０】（Ａ）は、配管接続工程の開始直後における前記カバー水栓の取付け構造の構成を概略的に示す斜視図、（Ｂ）は（Ａ）に示す状態のカバー水栓の取付け構造の上部の構成を概略的に示す正面図である。
【図１１】（Ａ）は、配管接続工程における下カバーの下降時の前記カバー水栓の取付け構造の構成を概略的に示す斜視図、（Ｂ）は、カバー装着工程の開始直後における前記カバー水栓の取付け構造の構成を概略的に示す斜視図である。
【図１２】（Ａ）は、カバー装着工程の途中における前記カバー水栓の取付け構造の構成を概略的に示す斜視図、（Ｂ）は、（Ａ）に示す状態のカバー水栓の取付け構造の上部の構成を概略的に示す斜視図である。
【図１３】カバー装着工程の完了直後における前記カバー水栓の取付け構造の構成を概略的に示す斜視図である。
【図１４】（Ａ）は、化粧部材装着工程の開始直後における前記カバー水栓の取付け構造の下部の構成を概略的に示す斜視図、（Ｂ）は、化粧部材装着工程の完了直後における前記カバー水栓の取付け構造の下部の構成を概略的に示す斜視図である。
【図１５】（Ａ）は、前カバー装着工程の開始直後における前記カバー水栓の取付け構造の下部の構成を概略的に示す斜視図、（Ｂ）は、前カバー装着工程の完了直後における前記カバー水栓の取付け構造の下部の構成を概略的に示す斜視図である。
【発明を実施するための形態】
【００３７】
本発明の実施の形態について図面を参照しながら以下に説明する。
【００３８】
本発明の第１の実施の形態に係るカバー水栓の取付け構造は、水栓と、この水栓を覆うカバーとを有し、例えば浴室の壁面に設置されるものである。
【００３９】
まず、水栓について説明すると、図３に示すように、本例の水栓１は、左右方向に延びる略円筒状の水栓本体２を有し、水栓本体２の背面の左右には偏心管３を介して給湯配管４、給水配管５（ともに供給配管の一例であり、図２参照）が接続される湯水混合栓である。水栓本体２の内部には、水栓本体２内に別々に導入された給湯配管４からの湯と給水配管５からの水とが混合される混合室（図示していない）と、混合室の上流側に位置し、混合室への湯水の流入比を調節するための第一弁部と、混合室の下流側に位置し、混合室からの湯水の導出流路の切替え及び導出流量の調整を行うための第二弁部とが設けられる。そして、水栓本体２の左右にはハンドル６，７が取り付けられ、一方のハンドル６は、第一弁部と連動して水栓本体２から導出部（吐水口８またはシャワーエルボ９）を経て外部に導出される湯水の温度調節機能を司り、他方のハンドル７は、第二弁部と連動して導出流路の切替え（湯水を吐水口８から導出する状態とシャワーエルボ９から導出する状態との切替え）機能及び吐水流量の調整機能を司る。このような構成を備えた湯水混合栓は周知であり、斯かる構成のより詳細な説明は省略する。
【００４０】
偏心管３は、図３に示すように、偏心管３自体を壁面に固定するためのステー部分３ａを有し、このステー部分３ａに形成された取付孔３ｂを挿通するねじ等の取付部材（図示していない）によって壁面に取り付けられる。また、偏心管３は止水栓（図示していない）を内蔵し、その操作部３ｃを外部に有する。偏心管３の止水栓は、水栓本体２の弁部（第一弁部及び第二弁部）の上流側に位置するものであり、操作部３ｃの操作により、例えば水栓１のメンテナンスの際には閉栓状態とされ、水栓１が通常使用される間は開栓状態とされる。
【００４１】
偏心管３を壁面に固定する際、図３に示すように二つの偏心管３にわたって連結ステー１０が連結され、これにより、二つの偏心管３間の距離は一定（例えば１００ｍｍ）に保たれる。ここで、連結ステー１０は、例えばポリプロピレン（ＰＰ）等の合成樹脂製の部材であり、ビス等の連結部材によって各偏心管３に連結される。
【００４２】
本例のカバー１１は、例えばＡＢＳ樹脂等の合成樹脂からなり、図１と図２及び図３とを対比すれば明らかなように、水栓本体２、偏心管３、給湯配管４、給水配管５、連結ステー１０を覆うように構成されている。尚、二つのハンドル６，７、吐水口８、シャワーエルボ９は、それぞれの機能を発揮する必要上、カバー１１によって覆われず外部に露出する。
【００４３】
カバー１１は、図１〜図３に示すように、水栓１（水栓本体２）に対して水栓１を上方から覆うように装着される上カバー１２と、水栓１（水栓本体２）に対して水栓１を下方から覆うように着脱自在に装着される下カバー１３とを備えている。
【００４４】
次に、本実施形態のカバー水栓の取付け構造の詳細な説明も兼ねて、カバー水栓の取付け方法について説明する。
【００４５】
（１）まず、水栓本体２に、二つの偏心管３、二つのハンドル６，７、吐水口８、シャワーエルボ９、連結ステー１０が組付けられた状態の水栓１を、偏心管３を介して壁面に取り付ける（図３参照）。尚、偏心管３に対する給湯配管４、給水配管５の接続は、壁に対する水栓１の取付け前または取付け後の何れに行ってもよい。
【００４６】
（２）水栓１に対して上カバー１２を装着する（図２参照）。本例では、上カバー１２は、水栓本体２上に載置され、その状態で連結ステー１０に対してビス等の連結部材により連結される。
【００４７】
（３）水栓１に対して下カバー１３を装着する。
【００４８】
ここで、図１〜図３に示すように、下カバー１３は、壁の表側に設置された水栓１に対して近接離間自在な状態（上下方向に移動自在な状態）となるように、壁の表側における水栓１の設置位置の下方に固定される保持部材１４によって形成される保持孔１５に上方から差し込まれて保持される。
【００４９】
保持部材１４は、浴室内に設けられたカウンターであり、保持孔１５は、保持部材１４の後縁に形成され壁面から離間した平面視略コ字状の保持縁（表側縁）１４ａと壁面とで形成され、下カバー１３において保持孔１５に差し込まれる部位（上部以外の部位）は、保持縁１４ａの形状に対応するように横断面略コ字状をしている。
【００５０】
尚、水栓１から下方に向けて延びる給湯配管４及び給水配管５は、下カバー１３の裏側（下カバー１３と壁面との間）を通り、保持孔１５を挿通して保持部材１４の下方にまで至るように構成されている（図２参照）。
【００５１】
そして、水栓１に装着された上カバー１２から下方に離間した位置にある下カバー１３（図２参照）を壁面に沿わせつつ上昇させると、下カバー１３は、保持部材１４に保持されつつ上昇し、やがて上カバー１２に係合して水栓１に装着された状態（図１参照）となる。
【００５２】
すなわち、上カバー１２の左右の各側壁１６下部の内側には被係合部１７が設けられていると共に、下カバー１３の左右の各側壁１８上部の内側には被係合部１７に係合する係合部１９が連設されている（図３参照）。そして、下カバー１３が上昇して上カバー１２に近接するのに伴い、被係合部１７に係合部１９が当接して被係合部１７または係合部１９の何れか一方（本例では係合部１９）が他方（本例では被係合部１７）を回避するように撓み、他方を乗り越えた後で弾性復帰することにより係合部１９が被係合部１７に係合した状態となり、かつ、係合部１９が被係合部１７に係合した状態において下カバー１３の左右の各側壁１８上部が下カバー１３の内側に撓むのに伴って、係合部１９が下カバー１３の内側に向かって移動し、被係合部１７に対する係合部１９の係合が解除されるように構成されている。
【００５３】
本例では、図４（Ａ）及び（Ｂ）に示すように、係合部１９は互いに離間するように設けられた二本の爪１９ａからなり、被係合部１７は二本の爪１９ａを挟み込み得るように離間配置された二つの棚１７ａからなる。そして、二本の爪１９ａは、下カバー１３の上昇に伴って二つの棚１７ａの間に向かって移動し、二つの棚１７ａに当接して乗り越える際に互いに近接する方向に撓み、棚１７ａを乗り越えた後は、互いに離間する方向に弾性復帰して二つの棚１７ａに係合する状態となり、この状態で下向きの力が各爪１９ａに加わっても棚１７ａに対する係合は解除されない。しかし、下カバー１３の左右の各側壁１８上部を下カバー１３の内側に向けて撓ませると、二本の爪１９ａは棚１７ａに沿って移動し、棚１７ａから外れる位置にまで移動すると、被係合部１７に対する係合部１９の係合が解除されることになる。
【００５４】
ここで、上カバー１２の左右の各側壁１６下部と、下カバー１３の左右の各側壁１８上部とには、それぞれ略半円状の欠落部２０、２１を設けてあり（図３及び図４（Ａ）参照）、側壁１８上部における係合部１９の近傍に欠落部２１を設けてあることにより、側壁１８上部は下カバー１３の内側により撓み易くなっている。尚、欠落部２０、２１は、上カバー１２と下カバー１３とを水栓１に装着したときに一つの略円形の貫通孔２２（図４（Ｂ）参照）を形成するものであり、カバー１１の左右にそれぞれ一つずつ形成されることになる貫通孔２２の一方はシャワーエルボ９を外部に露出させるために用いられ（図１参照）、他方は例えばキャップ（図示していない）で閉塞すればよい。
【００５５】
また、上カバー１２の左右の各側壁１６下部の内側には、上カバー１２の左右の各側壁１６下部の下方に突出し、下カバー１３が上昇する際に係合部１９をガイドする係合ガイド２３（図４（Ａ）参照）が設けられている。従って、係合ガイド２３が係合部１９をガイドするので、被係合部１７に対する係合部１９の係合は確実になされることになる。しかも、係合ガイド２３は、係合部１９が被係合部１７に係合した状態において下カバー１３の左右の各側壁１８の内側面から離間しているように構成されている（図４（Ｂ）参照）ので、側壁１８上部を下カバー１３の内側に撓ませて被係合部１７と係合部１９との係合を解除する際に、側壁１８が撓むのを係合ガイド２３が阻んでしまう恐れもない。
【００５６】
（４）水栓１に装着された状態の下カバー１３と保持縁（保持孔１５の周縁において保持孔１５を挿通する下カバー１３の表側に位置することになる表側縁の一例）１４ａとの隙間ｇ（図１、図２参照）に化粧部材２４を装着し、化粧部材２４によってその隙間ｇを上方から覆い、かつ、下カバー１３を保持部材１４に固定する（図５参照）。
【００５７】
ここで、化粧部材２４は、例えばＡＢＳ樹脂等の合成樹脂からなり、図６（Ａ）〜（Ｄ）に示すように、平面視略コ字状の化粧部材本体２５と、化粧部材本体２５の下方に設けられた縦断面略Ｕ字状の複数（本例では計三つ）の付勢片２６とを備えている。
【００５８】
化粧部材本体２５は、下カバー１３と保持縁１４ａとの隙間ｇを上方から覆う状態で保持縁１４ａ（保持部材１４）上に載置される（図５、図７参照）。これに対して、化粧部材本体２５の前側と左右両側とに各々一つずつ設けられる付勢片２６は、化粧部材本体２５の下面から垂下し、下方において外側かつ上側に向かって折り返す形状を呈し（図６（Ａ）及び（Ｄ）参照）、弾性変形限界の高まった外側先端部が保持孔１５の内側から保持縁１４ａに当接してこれを外側に付勢するように構成されている。そして、保持縁１４ａに対する付勢片２６による付勢の反作用によって、化粧部材２４は下カバー１３に向けて押圧され、下カバー１３は壁面に押圧固定されることになる。
【００５９】
また、計三つの付勢片２６のうち、化粧部材本体２５の前側に設けられた付勢片２６は、保持縁１４ａの下面側に係止する係止部２７（図６（Ａ）、（Ｃ）、（Ｄ）、図７参照）を有し、係止部２７が保持縁１４ａの下面側に係止する状態で係止部２７の上方の部分（外側先端部）が保持縁１４ａの上方に位置する（図７参照）ように構成された係止付勢片２８として構成されている。尚、係止部２７は、隙間ｇに対して上方から挿入されるときに保持縁１４ａに当接し、係止付勢片２８の外側先端部が撓んで隙間ｇ内に後退した後、保持縁１４ａより下方に至ると弾性復帰により保持縁１４ａに係止する状態となる。
【００６０】
そして、化粧部材本体２５の下面において係止付勢片２８の上方に位置する部分には、化粧部材本体２５の下面に沿って化粧部材本体２５の外縁側から隙間ｇの上方にまで至る溝２９が設けられ、係止付勢片２８の上部（外側先端部）は、係止付勢片２８の係止部２７が保持縁１４ａの下面側に係止する状態にあるときに係止付勢片２８の下部と共に隙間ｇ内に後退可能な状態で溝２９内に位置するように構成されている。
【００６１】
従って、化粧部材２４を隙間ｇに装着すると、係止付勢片２８の係止部２７が保持縁１４ａに係止することにより、化粧部材２４が隙間ｇから抜けなくなるのであり、化粧部材２４を隙間ｇから取り外すには、細い棒等の適宜の治具を溝２９内に差し込み、係止付勢片２８の上部（外側先端部）を隙間ｇ内に向けて押圧し、保持縁１４ａの下面側への係止部２７の係止を解除すればよい。
【００６２】
以上の（１）〜（４）の工程を実施することにより、本実施形態のカバー水栓の取付け構造は完成する。
【００６３】
そして、水栓１に装着された状態の下カバー１３は、水栓１の弁部の上流側に設けられた止水栓の操作部３ｃや給湯配管４、給水配管５を覆うので、美観性の向上が達成される。
【００６４】
また、下カバー１３を水栓１から離脱させるには、化粧部材２４を隙間ｇから上述した手法によって取り外した後、下カバー１３の左右の各側壁１８上部を内向きに撓ませ、上カバー１２の各被係合部１７に対する下カバー１３の各係合部１９の係合を解除するだけでよい。そして、このように水栓１から離脱させた（水栓１に装着されていない状態の）下カバー１３は保持孔１５に差し込まれて保持されながらの下降が可能となり、その下降は操作部３ｃが露出する位置まで可能であるので、下カバー１３を水栓１から離脱させるといった簡単な手順を踏まえるだけで操作部３ｃの操作を行える状態となり、メンテナンス性も良好となる。
【００６５】
しかも、上記（１）〜（４）の各工程はそれぞれ簡単に行えるものであり、偏心管３を介して水栓本体２を壁面に固定する際に厳密な位置決め等をする必要もないので、本実施形態のカバー水栓の組付け構造は施工性にも優れたものとなる。
【００６６】
なお、上記第１の実施の形態は、例えば、以下のように変形することができる。
【００６７】
本実施形態のカバー１１は、上カバー１２と下カバー１３との二つのカバーからなるが、三つ以上のカバーからなるものであってもよい。
【００６８】
保持孔１５や保持縁１４ａの形状は種々に変更可能であり、例えば保持部材（カウンター）１４に貫通孔を設けこの貫通孔を保持孔１５として用いるようにし、保持部材１４のみで（壁面を用いずに）保持孔１５を形成するようにしてあってもよい。
【００６９】
本実施形態では、カウンターを保持部材１４に兼用しているが、特に、浴室以外の壁面にカバー水栓の取付け構造を設ける場合には、カウンター以外の保持部材１４専用の部材を設けるようにしてもよい。
【００７０】
本実施形態では、係合部１９を構成する二本の爪１９ａが被係合部１７を構成する二つの棚１７ａに対してその内側から係合するが、二本の爪１９ａが二つの棚１７ａに対してその外側から係合するようにしてもよい。また、本実施形態では、二つの棚１７ａからなる被係合部１７と二本の爪１９ａからなる係合部１９とによって上カバー１２に下カバー１３が係合する係合構造を採用しているが、係合構造の構成は種々に変更可能であり、例えば、水栓１に装着された状態の下カバー１３を化粧部材２４によって動かないようにしっかりと保持することができるのであれば、上記係合構造を省略してもよい。
【００７１】
本実施形態では化粧部材２４の前（正面）側に一つのみ係止付勢片２８を設けてあるが、これに限らず、例えば化粧部材２４の左右に一つずつ係止付勢片２８を設けるようにしてもよい。
【００７２】
次に、本発明の第２の実施の形態に係るカバー水栓の取付け構造の説明を兼ねながら、同カバー水栓の取付け方法について、図８〜図１５を用いて説明する。尚、図８〜図１５において、図１〜図７に示す構成要素と共通するものについては、同一の符号を付し、以下ではその説明を省略する。
【００７３】
（１）まず、保持孔１５に下カバー３０を上方から差し込み、下カバー３０の下部の左右側面に側方に突出するように連設した二つの当接片３１を保持部材１４の上面に当接させて下カバー３０を起立させる下カバー起立工程を行う（図８（Ａ）及び（Ｂ）参照）。
【００７４】
すなわち、下カバー３０の下部には、下カバー３０を保持孔１５に対して上方から差し込んだときに保持部材１４の上面に当接して下カバー３０のさらなる下降を阻止すると共に下カバー３０を起立させるための当接片３１が連設されている。
【００７５】
ここで、下カバー３０において保持孔１５に差し込まれる部位（当接片３１よりも下方の部位）は、保持縁１４ａの形状に対応するように横断面略コの字状をしている。また、各当接片３１の下面は、保持部材１４の上面に沿うように形成されている。そして、起立した下カバー３０は、壁面に沿った状態となる。
【００７６】
尚、このとき、図９（Ａ）に示すように、下カバー３０の下端部（保持部材１４の下方に差し込まれた部分）を、例えばビス３２止め等の適宜の手段により後で壁面から離脱させることができる状態で壁面に固定するようにしてもよいし、この固定は省略してもよい。
【００７７】
（２）水栓１に二つの偏心管３を介して連結された状態の連結ステー３３を、起立状態の下カバー３０の上部に当接させつつ壁に固定し、これにより水栓１を壁に固定する水栓固定工程を行う（図９（Ｂ）、図１０（Ａ）及び（Ｂ）参照）。
【００７８】
すなわち、水栓本体２に、二つの偏心管３、二つのハンドル６，７、吐水口８、シャワーエルボ９、連結ステー３３が組付けられた状態の水栓１を、偏心管３及び連結ステー３３を介して壁面に取り付ける。尚、本例では、この水栓固定工程を行う際、図９（Ａ）に示すように、各偏心管３の下部（上流部）の接続部としての雄ねじ部３ｄに供給配管４，５の上部（下流部）の接続部としての袋ナット４ａ、５ａを仮締め（供給配管４，５をある程度動かせるように少し緩めに接続）するのであり、この仮締めは、壁面に対する水栓１の取付け前または取付け後の何れに行ってもよい。
【００７９】
ここで、連結ステー３３は、例えばポリプロピレン（ＰＰ）等の合成樹脂製の部材であり、図９（Ｂ）に示すように、横方向に延びるブリッジ部３４の左右にブリッジ部３４よりも前方に膨出しブリッジ部３４よりも下方にまで延びる一対の柱部３５を有し、ビス３６等の連結部材によってブリッジ部３４が各偏心管３に連結される。また、各柱部３５の下部３５ａ（図１２（Ｂ）参照）が、起立状態の下カバー３０の上部の左右に設けられた位置決め柵３７（図９（Ｂ）参照）に当接するように構成されており、この当接により位置決めされた状態の連結ステー３３を例えばビス３８（図１０（Ａ）、図１１（Ａ）参照）等の固定部材によって壁面に固定する。本例では、前後方向の肉厚が柱部３５より薄いブリッジ部３４をビス３８により壁面に固定する。
【００８０】
このとき、偏心管３のステー部分３ａの上部に形成された取付孔３ｂ（図３参照）が下カバー３０よりも上方に位置するので、各取付孔３ｂに対してねじ等の取付部材３９（図１０（Ｂ）参照）を挿通して偏心管３を壁面に取り付ける作業を容易に行うことができる。
【００８１】
（３）当接片３１を下カバー３０から破断除去し、下カバー３０を保持部材に保持させながら下降させ、水栓１に給湯配管４、給水配管５を接続（本締め）する配管接続工程を行う（図１０（Ａ）、図１１（Ａ）参照）。
【００８２】
すなわち、当接片３１は、保持部材１４上に起立した下カバー３０を用いて水栓１の固定が行われた後に、下カバー３０から破断除去されるのであり、この破断除去を容易とするために、当接片３１の基部に例えば薄肉部や破断線部等の弱化部（図示していない）が設けられている。尚、上記下カバー起立工程（１）において下カバー３０の下部を壁面に固定した場合は、この固定の解除を当接片３１の切断除去と併せて行う。
【００８３】
当接片３１が破断除去され（壁面への固定も解除され）た後の下カバー３０は下降可能となり、従って、保持孔１５に差し込まれて保持されながら上下方向に移動自在な状態となる。すなわち、下カバー３０における当接片３１よりも下方の部位のみならず、当接片３１よりも上方の部位のうち保持孔１５に差し込まれることになる部位（上部以外の部位）も、保持縁１４ａの形状に対応するように横断面略コの字状をしている。
【００８４】
そして、下カバー３０を下降させれば、給湯配管４、給水配管５の位置や向きの微調整を行うための十分なスペースが確保されることになり、斯かる微調整を正確かつ迅速に行うことが可能となる。この微調整後に、各偏心管３の雄ねじ部３ｄに仮締めされている供給配管４，５の袋ナット４ａ、５ａを本締めし、水栓１に対する両配管４、５の接続を完了する。すなわち、下カバー３０は、少なくとも雄ねじ部３ｄ及び袋ナット４ａ、５ａが露出する位置まで下降可能である。
【００８５】
（４）水栓１に対して水栓１を上方から覆うように上カバー４０を載置すると共に、下カバー３０を上昇させて上カバー４０に係合させ、これにより水栓１に上カバー４０及び下カバー３０を装着した状態とするカバー装着工程を行う（図１１（Ｂ）、図１２（Ａ）及び（Ｂ）、図１３参照）。
【００８６】
上カバー４０は、図１２（Ｂ）に示すように、ビス４１等の連結部材により連結ステー３３の各柱部３５に連結され、水栓本体２と連結ステー３３との上面に載置された状態となる。
【００８７】
尚、この工程における下カバー３０と上カバー４０との係合は、被係合部１７と係合部１９とを用いて、第１の実施の形態の工程（３）における上カバー１２と下カバー１３との係合方法と同様に行うことができる。
【００８８】
（５）水栓１に装着された状態の下カバー３０と保持孔１５の周縁における下カバー３０の表側に位置する表側縁（保持縁）１４ａとの隙間ｇに化粧部材２４を上方から装着し、隙間ｇを化粧部材２４によって覆う化粧部材装着工程を行う（図１４（Ａ）及び（Ｂ）参照）。
【００８９】
尚、この工程における化粧部材２４の装着は、第１の実施の形態の工程（４）における化粧部材２４の装着と同様に行うことができる。
【００９０】
ここで、上記配管接続工程（３）において、当接片３１を下カバー３０から破断除去したときに、この破断除去によって除去跡３１ａ（図１０（Ａ）参照）が形成されるが、この除去跡３１ａは、隙間ｇを覆う装着状態の化粧部材２４に隠れる。本例では、当接片３１を破断除去する作業を行い易く、かつ、化粧部材２４によって隠し易い位置に除去跡３１ａが形成されるようにするために、当接片３１を下カバー３０の左右側面から水平方向に延ばしてある。
【００９１】
（６）水栓１に対して下カバー３０が覆わない水栓１の前部を下方から覆うように前カバー４２を装着する前カバー装着工程を行う（図１５（Ａ）及び（Ｂ）参照）。
【００９２】
本例では、上カバー４０に対して前カバー４２を係合することにより前カバー４２を水栓１に装着するのであり、上カバー４０に対する前カバー４２の係合を、上カバー４０に対する下カバー３０の係合と同様に行えるように、上カバー４０前部の左右の各側壁４３（図１１（Ｂ）参照）下部の内側に、被係合部１７と同一構造の第２の被係合部（図示していない）が設けられていると共に、前カバー４２の左右の各側壁４４上部の内側には係合部１９と同一構造であり前記第２の被係合部に係合する第２の係合部（図示していない）が連設されている。
【００９３】
また、上カバー４０前部の左右の各側壁４３下部と、前カバー４２の左右の各側壁４４上部とには、それぞれ略半円状の欠落部４５、４６を設けてあり（図１１（Ｂ）、図１５（Ａ）参照）、側壁４４上部における第２の係合部の近傍に欠落部４６を設けてあることにより、側壁４４上部は前カバー４２の内側により撓み易くなっている。尚、欠落部４５，４６は、上カバー４０と前カバー４２とを水栓１に装着したときに一つの略円形の貫通孔（図示していない）を形成するものであり、水栓１の左右にそれぞれ一つずつ形成されることになる貫通孔は各々ハンドル６，７を外部に露出させるために用いられる（図１５参照）。
【００９４】
ここで、例えばメンテナンスのために操作部３ｃを操作しようとする場合、第１の実施の形態では、化粧部材２４を取り外し、下カバー１３を下降させて操作部３ｃを露出させる必要があるが、第２の実施の形態では、前カバー４２を取り外すだけで操作部３ｃを露出させることができ（図１５（Ａ）参照）、メンテナンス性がより良好となる。
【００９５】
また、第２の実施の形態では、当接片３１を用いて起立させた下カバー３０を利用して水栓１の適切な位置決めを正確かつ簡易に行えるので、施工性の点でも優れている。
【００９６】
なお、上記第２の実施の形態は、例えば、以下のように変形することができる。
【００９７】
水栓固定工程（２）において、各偏心管３の雄ねじ部３ｄに対する供給配管４，５の袋ナット４ａ、５ａの仮締めを行わず、偏心管３と供給配管４，５との接続作業を配管接続工程（３）のみにおいて行うようにしてもよい。
【００９８】
工程（１）〜（６）の順は適宜変更可能であり、例えば、前カバー装着工程（６）を、カバー装着工程（４）と化粧部材装着工程（５）との間に行うようにしてもよい。
【００９９】
なお、本発明は、上記の各実施の形態に何ら限定されず、本発明の要旨を逸脱しない範囲において種々に変形して実施し得ることは勿論であり、上記各実施形態やそれらの変形例どうしを適宜組み合わせてもよいことはいうまでもない。
【符号の説明】
【０１００】
１    水栓
３ｃ  操作部
３ｄ  接続部（雄ねじ部）
４    給湯配管（供給配管）
５    給水配管（供給配管）
１２    上カバー
１３    下カバー
１４    保持部材（カウンター）
１４ａ  保持縁（表側縁）
１５    保持孔
１６    側壁
１７    被係合部
１８    側壁
１９    係合部
１９ａ  爪
２１    欠落部
２３    係合ガイド
２４    化粧部材
２５    化粧部材本体
２６    付勢片
２７    係止部
２８    係止付勢片
２９    溝
３０    下カバー
３１    当接片
３１ａ  除去跡
４０    上カバー
４２    前カバー
４３    （上カバー前部の）側壁
４４    （前カバーの）側壁
４５    欠落部
４６    欠落部
ｇ    隙間
【図１】
0006018741.tif 000002
【図２】
0006018741.tif 000003
【図３】
0006018741.tif 000004
【図４】
0006018741.tif 000005
【図５】
0006018741.tif 000006
【図６】
0006018741.tif 000007
【図７】
0006018741.tif 000008
【図８】
0006018741.tif 000009
【図９】
0006018741.tif 000010
【図１０】
0006018741.tif 000011
【図１１】
0006018741.tif 000012
【図１２】
0006018741.tif 000013
【図１３】
0006018741.tif 000014
【図１４】
0006018741.tif 000015
【図１５】
0006018741.tif 000016